(57)【要約】【課題】油圧シリンダの油圧ロックを解放すれば練習台が自由状態となって傾斜を任意に変更又は調節でき、傾斜状態が決定したら、その状態で油圧ロックを維持して練習台を特定の傾斜に固定できるようにし、調節のたびに地面に下りる必要がなく、練習台に乗ったまま練習台の傾斜を任意に調節しながら、実際のゴルフ場に近い各種の傾斜面でゴルフの練習ができるようにした、画期的なゴルフ練習台装置を提供する。【解決手段】人３がその上に乗ってゴルフの練習ができるようにしたゴルフ練習台４で、油圧シリンダ９の採用により傾斜状態が任意に変えられるようにした練習台４を更に改良し、練習台４の上に乗った人３がその使用中のゴルフクラブ１８で操作することができる操作部材１６を練習台４の上に突出させておき、この操作部材１６を操作することにより、油圧シリンダ９の油圧ロックを解放すれば練習台４が自由状態となって傾斜を任意に変更又は調節でき、傾斜状態が決定したら、その状態で油圧ロックを維持して練習台４を特定の傾斜に固定できる構成を特徴とする。【選択図】図１６
0003162019.tif 000002
【実用新案登録請求の範囲】
【請求項１】
地上又は床上に設置される基台と、人がその上に乗ってゴルフの練習ができるようにした練習台と、該練習台と前記基台との間に配設され前記練習台を前記基台に対して少なくとも２方向に傾斜させることができるように支持すると共に傾斜した状態に保持できるようにした傾斜支持装置とを備えたゴルフ練習台装置において、前記練習台に乗った人がそのゴルフクラブで前記傾斜支持装置の解放又は固定モードを切り換えることができるように前記練習台上に操作部が突出して設けられた前記傾斜支持装置の解放固定切換え装置とを備えたことを特徴とするゴルフ練習台装置。
【請求項２】
地上又は床上に設置される基台と、人がその上に乗ってゴルフの練習ができるようにした練習台と、該練習台と前記基台との間に配設され前記練習台を前記基台に対して全方向に傾斜させることができるように支持すると共に傾斜した状態に保持できるようにした傾斜支持装置とを備えたゴルフ練習台装置において、前記練習台に乗った人がそのゴルフクラブで前記傾斜支持装置の解放又は固定モードを切り換えることができるように前記練習台上に操作部が突出して設けられた前記傾斜支持装置の解放固定切換え装置とを備えたことを特徴とするゴルフ練習台装置。
【請求項３】
地上又は床上に設置される基台と、人がその上に乗ってゴルフの練習ができるようにした練習台と、該練習台と前記基台との間に配設され前記練習台を前記基台に対して少なくとも２方向に傾斜させることができるように支持すると共に傾斜した状態に保持できるようにした傾斜支持装置とを備えたゴルフ練習台装置において、前記傾斜支持装置は、シリンダの端部が前記基台に取り付けられピストンロッドの一端が前記練習台に取り付けられた一対の油圧シリンダと前記基台に対する前記練習台の傾斜の変化を円滑に行わせるように前記練習台に固着された一対のガイド部材と前記基台に固着され前記一対のガイド部材の動きを支持する一対のガイド支持部材とで構成され、前記解放固定切換え装置は、前記一対の油圧シリンダの油圧を解放又は固定するようにその油圧回路中に配設された４つの油圧回路用開閉リミットスイッチと該油圧回路用開閉リミットスイッチを操作して前記油圧回路を解放又は固定するための操作部とで構成され、前記練習台に乗った人がそのゴルフクラブで前記傾斜支持装置の解放又は固定モードを切り換えることができるように前記練習台上に前記解放固定切換え装置の操作部が突出して設けられたことを特徴とするゴルフ練習台装置。
【請求項４】
地上又は床上に設置される基台と、人がその上に乗ってゴルフの練習ができるようにした練習台と、該練習台と前記基台との間に配設され前記練習台を前記基台に対して全方向に傾斜させることができるように支持すると共に傾斜した状態に保持できるようにした傾斜支持装置とを備えたゴルフ練習台装置において、前記傾斜支持装置は、シリンダの端部が前記基台に取り付けられピストンロッドの一端が前記練習台に取り付けられた一対の油圧シリンダと前記基台に対する前記練習台の傾斜の変化を円滑に行わせるように前記練習台に固着された一対のガイド部材と前記基台に固着され前記一対のガイド部材の動きを支持する一対のガイド支持部材とで構成され、前記解放固定切換え装置は、前記一対の油圧シリンダの油圧を解放又は固定するようにその油圧回路中に配設された４つの油圧回路用開閉リミットスイッチと該油圧回路用開閉リミットスイッチを操作して前記油圧回路を解放又は固定するための操作部とで構成され、前記練習台に乗った人がそのゴルフクラブで前記傾斜支持装置の解放又は固定モードを切り換えることができるように前記練習台上に前記解放固定切換え装置の操作部が突出して設けられたことを特徴とするゴルフ練習台装置。
【考案の詳細な説明】
【考案の詳細な説明】
【技術分野】
【０００１】本考案は、ゴルフ練習台装置に係り、特に人がその上に乗ってゴルフの練習ができるようにしたゴルフ練習台で、油圧シリンダの採用により傾斜状態が任意に変えられるようにした練習台を更に改良し、練習台の上に乗った人がその使用中のゴルフクラブで操作することができる操作部材を練習台の上に突出させておき、この操作部材を操作することにより、油圧シリンダの油圧ロックを解放すれば練習台が自由状態となって傾斜を任意に変更又は調節でき、傾斜状態が決定したら、その状態で油圧ロックを維持して練習台を特定の傾斜に固定できるようにし、調節のたびに地面に下りる必要がなく、練習台に乗ったまま練習台の傾斜を任意に調節しながら、実際のゴルフ場に近い各種の傾斜面でゴルフの練習ができるようにした、画期的なゴルフ練習台装置に関する。
【背景技術】
【０００２】従来、傾斜状態が任意に変更又は調節できるようにしたゴルフ練習台装置は、種々提案されており、例えば複数の油圧シリンダを用いて練習台の傾斜が全方向に調節できるようにしたものがある。
しかし従来のこの種のゴルフ練習台装置は、油圧シリンダの調節装置及びその操作部材がすべて練習台の下側に配置されているため、練習台の上に乗った人がこれに乗ったままこの調節装置を操作することはできず、練習台の傾斜の調節又は変更のたびごとに地面又は床に下りなければならず、その調節が面倒である、という欠点があった。【０００３】また練習台とは別の調節コラムのような部材を設けて、ここに調節装置を備えたものも提案されているが、この種のものは油圧シリンダをを電動の油圧モータを使用して作動させ、練習台に乗ったまま練習台の傾斜の調節又は変更が可能ではあるが、装置の構造が複雑であるばかりでなく、重量が非常に大きくなると共に、装置のコストが相当高くつくという欠点があった。
【先行技術文献】
【特許文献】
【０００４】本願出願人及び考案者は、本願考案に関する特許文献を知らないので、その記載を省略する。
【非特許文献】
【０００５】本願出願人及び考案者は、上記と同様の理由によりその記載を省略する。
【考案の概要】
【考案が解決しようとする課題】
【０００６】本考案は、上記した従来技術の欠点を除くためになされたものであって、その目的とするところは、地上又は床上に設置される基台と、人がその上に乗ってゴルフの練習ができるようにした練習台と、該練習台と基台との間に配設され練習台を基台に対して少なくとも２方向に傾斜させることができるように支持すると共に傾斜した状態に保持できるようにした傾斜支持装置とを備えたゴルフ練習台装置において、練習台に乗った人がそのゴルフクラブで傾斜支持装置の解放又は固定モードを切り換えることができるように練習台上に操作部が突出して設けられた傾斜支持装置の解放固定切換え装置とを備えることによって、極めて簡単、かつ軽量な機構でありながら、練習台に乗ったままゴルフクラブを使用して傾斜支持装置を操作できるようにし、練習台の傾斜の調節又は変更のたびごとに地面又は床に下りる必要性をなくすことであり、またこれによって非常に使用性の良好なゴルフ練習台装置を提供することである。【０００７】また他の目的は、地上又は床上に設置される基台と、人がその上に乗ってゴルフの練習ができるようにした練習台と、該練習台と基台との間に配設され練習台を基台に対して全方向に傾斜させることができるように支持すると共に傾斜した状態に保持できるようにした傾斜支持装置とを備えたゴルフ練習台装置において、練習台に乗った人がそのゴルフクラブで傾斜支持装置の解放又は固定モードを切り換えることができるように練習台上に操作部が突出して設けられた傾斜支持装置の解放固定切換え装置とを備えることによって、極めて簡単、かつ軽量な機構でありながら、練習台に乗ったままゴルフクラブを使用して傾斜支持装置を操作して、乗った人の体重移動により練習台を全方向に任意に傾斜させることができるようすると共に、練習台の傾斜の調節又は変更のたびごとに地面又は床に下りる必要性をなくし、またこれによって非常に使用性の良好なゴルフ練習台装置を提供することである。【０００８】更に他の目的は、地上又は床上に設置される基台と、人がその上に乗ってゴルフの練習ができるようにした練習台と、該練習台と基台との間に配設され練習台を基台に対して少なくとも２方向に傾斜させることができるように支持すると共に傾斜した状態に保持できるようにした傾斜支持装置とを備えたゴルフ練習台装置において、傾斜支持装置は、シリンダの端部が基台に取り付けられピストンロッドの一端が練習台に取り付けられた一対の油圧シリンダと基台に対する練習台の傾斜の変化を円滑に行わせるように練習台に固着された一対のガイド部材と基台に固着され一対のガイド部材の動きを支持する一対のガイド支持部材とで構成され、解放固定切換え装置は、一対の油圧シリンダの油圧を解放又は固定するようにその油圧回路中に配設された４つの油圧回路用開閉リミットスイッチと該油圧回路用開閉リミットスイッチを操作して油圧回路を解放又は固定するための操作部とで構成され、練習台に乗った人がそのゴルフクラブで傾斜支持装置の解放又は固定モードを切り換えることができるように練習台上に解放固定切換え装置の操作部を突出して設けることによって、極めて簡単、かつ軽量な機構でありながら、練習台に乗ったままゴルフクラブを使用して傾斜支持装置を操作して、乗った人の体重移動により練習台を少なくとも２方向に任意に傾斜させることができるようすると共に、練習台の傾斜の調節又は変更のたびごとに地面又は床に下りる必要性をなくし、またこれによって非常に使用性の良好なゴルフ練習台装置を提供することである。また練習台に乗ったままその傾斜の調節又は変更が手軽にできるにもかかわらず、コストが非常に低廉なゴルフ練習台装置を提供することである。【０００９】また他の目的は、地上又は床上に設置される基台と、人がその上に乗ってゴルフの練習ができるようにした練習台と、該練習台と基台との間に配設され練習台を基台に対して全方向に傾斜させることができるように支持すると共に傾斜した状態に保持できるようにした傾斜支持装置とを備えたゴルフ練習台装置において、傾斜支持装置は、シリンダの端部が基台に取り付けられピストンロッドの一端が練習台に取り付けられた一対の油圧シリンダと基台に対する練習台の傾斜の変化を円滑に行わせるように練習台に固着された一対のガイド部材と基台に固着され一対のガイド部材の動きを支持する一対のガイド支持部材とで構成され、解放固定切換え装置は、一対の油圧シリンダの油圧を解放又は固定するようにその油圧回路中に配設された４つの油圧回路用開閉リミットスイッチと該油圧回路用開閉リミットスイッチを操作して油圧回路を解放又は固定するための操作部とで構成され、練習台に乗った人がそのゴルフクラブで傾斜支持装置の解放又は固定モードを切り換えることができるように練習台上に解放固定切換え装置の操作部を突出して設けることによって、極めて簡単、かつ軽量な機構でありながら、練習台に乗ったままゴルフクラブを使用して傾斜支持装置を操作して、乗った人の体重移動により練習台を全方向に任意に傾斜させることができるようすると共に、練習台の傾斜の調節又は変更のたびごとに地面又は床に下りる必要性をなくし、またこれによって非常に使用性の良好なゴルフ練習台装置を提供することである。また練習台に乗ったままその傾斜の調節又は変更が手軽にできるにもかかわらず、コストが非常に低廉なゴルフ練習台装置を提供することである。
【課題を解決するための手段】
【００１０】要するに本考案（請求項１）は、地上又は床上に設置される基台と、人がその上に乗ってゴルフの練習ができるようにした練習台と、該練習台と前記基台との間に配設され前記練習台を前記基台に対して少なくとも２方向に傾斜させることができるように支持すると共に傾斜した状態に保持できるようにした傾斜支持装置とを備えたゴルフ練習台装置において、前記練習台に乗った人がそのゴルフクラブで前記傾斜支持装置の解放又は固定モードを切り換えることができるように前記練習台上に操作部が突出して設けられた前記傾斜支持装置の解放固定切換え装置とを備えたことを特徴とするものである。【００１１】また本考案（請求項２）は、地上又は床上に設置される基台と、人がその上に乗ってゴルフの練習ができるようにした練習台と、該練習台と前記基台との間に配設され前記練習台を前記基台に対して全方向に傾斜させることができるように支持すると共に傾斜した状態に保持できるようにした傾斜支持装置とを備えたゴルフ練習台装置において、前記練習台に乗った人がそのゴルフクラブで前記傾斜支持装置の解放又は固定モードを切り換えることができるように前記練習台上に操作部が突出して設けられた前記傾斜支持装置の解放固定切換え装置とを備えたことを特徴とするゴルフ練習台装置。【００１２】また本考案（請求項３）は、地上又は床上に設置される基台と、人がその上に乗ってゴルフの練習ができるようにした練習台と、該練習台と前記基台との間に配設され前記練習台を前記基台に対して少なくとも２方向に傾斜させることができるように支持すると共に傾斜した状態に保持できるようにした傾斜支持装置とを備えたゴルフ練習台装置において、前記傾斜支持装置は、シリンダの端部が前記基台に取り付けられピストンロッドの一端が前記練習台に取り付けられた一対の油圧シリンダと前記基台に対する前記練習台の傾斜の変化を円滑に行わせるように前記練習台に固着された一対のガイド部材と前記基台に固着され前記一対のガイド部材の動きを支持する一対のガイド支持部材とで構成され、前記解放固定切換え装置は、前記一対の油圧シリンダの油圧を解放又は固定するようにその油圧回路中に配設された４つの油圧回路用開閉リミットスイッチと該油圧回路用開閉リミットスイッチを操作して前記油圧回路を解放又は固定するための操作部とで構成され、前記練習台に乗った人がそのゴルフクラブで前記傾斜支持装置の解放又は固定モードを切り換えることができるように前記練習台上に前記解放固定切換え装置の操作部が突出して設けられたことを特徴とするものである。【００１３】また本考案（請求項４）は、地上又は床上に設置される基台と、人がその上に乗ってゴルフの練習ができるようにした練習台と、該練習台と前記基台との間に配設され前記練習台を前記基台に対して全方向に傾斜させることができるように支持すると共に傾斜した状態に保持できるようにした傾斜支持装置とを備えたゴルフ練習台装置において、前記傾斜支持装置は、シリンダの端部が前記基台に取り付けられピストンロッドの一端が前記練習台に取り付けられた一対の油圧シリンダと前記基台に対する前記練習台の傾斜の変化を円滑に行わせるように前記練習台に固着された一対のガイド部材と前記基台に固着され前記一対のガイド部材の動きを支持する一対のガイド支持部材とで構成され、前記解放固定切換え装置は、前記一対の油圧シリンダの油圧を解放又は固定するようにその油圧回路中に配設された４つの油圧回路用開閉リミットスイッチと該油圧回路用開閉リミットスイッチを操作して前記油圧回路を解放又は固定するための操作部とで構成され、前記練習台に乗った人がそのゴルフクラブで前記傾斜支持装置の解放又は固定モードを切り換えることができるように前記練習台上に前記解放固定切換え装置の操作部が突出して設けられたことを特徴とするものである。
【考案の効果】
【００１４】本考案は、上記のように地上又は床上に設置される基台と、人がその上に乗ってゴルフの練習ができるようにした練習台と、該練習台と基台との間に配設され練習台を基台に対して少なくとも２方向に傾斜させることができるように支持すると共に傾斜した状態に保持できるようにした傾斜支持装置とを備えたゴルフ練習台装置において、練習台に乗った人がそのゴルフクラブで傾斜支持装置の解放又は固定モードを切り換えることができるように練習台上に操作部が突出して設けられた傾斜支持装置の解放固定切換え装置とを備えたので、極めて簡単、かつ軽量な機構でありながら、練習台に乗ったままゴルフクラブを使用して傾斜支持装置を操作できるため、練習台の傾斜の調節又は変更のたびごとに地面又は床に下りる必要性をなくすことができ、またこの結果非常に使用性の良好なゴルフ練習台装置を提供し得る効果がある。【００１５】また地上又は床上に設置される基台と、人がその上に乗ってゴルフの練習ができるようにした練習台と、該練習台と基台との間に配設され練習台を基台に対して全方向に傾斜させることができるように支持すると共に傾斜した状態に保持できるようにした傾斜支持装置とを備えたゴルフ練習台装置において、練習台に乗った人がそのゴルフクラブで傾斜支持装置の解放又は固定モードを切り換えることができるように練習台上に操作部が突出して設けられた傾斜支持装置の解放固定切換え装置とを備えたので、極めて簡単、かつ軽量な機構でありながら、練習台に乗ったままゴルフクラブを使用して傾斜支持装置を操作して、乗った人の体重移動により練習台を全方向に任意に傾斜させることができると共に、練習台の傾斜の調節又は変更のたびごとに地面又は床に下りる必要性をなくすことができ、またこの結果非常に使用性の良好なゴルフ練習台装置を提供することができる効果が得られる。【００１６】更には、地上又は床上に設置される基台と、人がその上に乗ってゴルフの練習ができるようにした練習台と、該練習台と基台との間に配設され練習台を基台に対して少なくとも２方向に傾斜させることができるように支持すると共に傾斜した状態に保持できるようにした傾斜支持装置とを備えたゴルフ練習台装置において、傾斜支持装置は、シリンダの端部が基台に取り付けられピストンロッドの一端が練習台に取り付けられた一対の油圧シリンダと基台に対する練習台の傾斜の変化を円滑に行わせるように練習台に固着された一対のガイド部材と基台に固着され一対のガイド部材の動きを支持する一対のガイド支持部材とで構成され、解放固定切換え装置は、一対の油圧シリンダの油圧を解放又は固定するようにその油圧回路中に配設された４つの油圧回路用開閉リミットスイッチと該油圧回路用開閉リミットスイッチを操作して油圧回路を解放又は固定するための操作部とで構成され、練習台に乗った人がそのゴルフクラブで傾斜支持装置の解放又は固定モードを切り換えることができるように練習台上に解放固定切換え装置の操作部を突出して設けたので、極めて簡単、かつ軽量な機構でありながら、練習台に乗ったままゴルフクラブを使用して傾斜支持装置を操作して、乗った人の体重移動により練習台を少なくとも２方向に任意に傾斜させることができるとと共に、練習台の傾斜の調節又は変更のたびごとに地面又は床に下りる必要性がなくなり、またこの結果非常に使用性の良好なゴルフ練習台装置を提供することができる効果がある。また練習台に乗ったままその傾斜の調節又は変更が手軽にできるにもかかわらず、コストが非常に低廉なゴルフ練習台装置を提供し得る効果がある。【００１７】また地上又は床上に設置される基台と、人がその上に乗ってゴルフの練習ができるようにした練習台と、該練習台と基台との間に配設され練習台を基台に対して全方向に傾斜させることができるように支持すると共に傾斜した状態に保持できるようにした傾斜支持装置とを備えたゴルフ練習台装置において、傾斜支持装置は、シリンダの端部が基台に取り付けられピストンロッドの一端が練習台に取り付けられた一対の油圧シリンダと基台に対する練習台の傾斜の変化を円滑に行わせるように練習台に固着された一対のガイド部材と基台に固着され一対のガイド部材の動きを支持する一対のガイド支持部材とで構成され、解放固定切換え装置は、一対の油圧シリンダの油圧を解放又は固定するようにその油圧回路中に配設された４つの油圧回路用開閉リミットスイッチと該油圧回路用開閉リミットスイッチを操作して油圧回路を解放又は固定するための操作部とで構成され、練習台に乗った人がそのゴルフクラブで傾斜支持装置の解放又は固定モードを切り換えることができるように練習台上に解放固定切換え装置の操作部を突出して設けたので、極めて簡単、かつ軽量な機構でありながら、練習台に乗ったままゴルフクラブを使用して傾斜支持装置を操作して、乗った人の体重移動により練習台を全方向に任意に傾斜させることができると共に、練習台の傾斜の調節又は変更のたびごとに地面又は床に下りる必要性がなくなり、またこの結果非常に使用性の良好なゴルフ練習台装置を提供することができる効果がある。また練習台に乗ったままその傾斜の調節又は変更が手軽にできるにもかかわらず、コストが非常に低廉なゴルフ練習台装置を提供し得る効果がある。
【図面の簡単な説明】
【００１８】
【図１】図面は本考案の実施例に係り、図１はゴルフ練習台装置の平面図である。
【図２】練習台が水平に保たれたゴルフ練習台装置の部分縦断面側面図である。
【図３】練習台が水平に保たれたゴルフ練習台装置の部分縦断面正面図である。
【図４】油圧シリンダによる練習台の支持状態を示す部分破断部分縦断面正面図である。
【図５】油圧シリンダによる練習台の支持状態を示す部分破断側面図である。
【図６】球状軸受と支柱による練習台の支持状態を示す部分正面図である。
【図７】固定モード状態における油圧回路図である。
【図８】解放モード状態における油圧回路図である。
【図９】解放固定切換装置の平面図である。
【図１０】解放固定切換装置の練習台との関係を示す斜視図である。
【図１１】練習台を省いて示す解放固定切換え装置の斜視図である。
【図１２】解放操作レバーがゴルフクラブで押され始める状態を示す解放固定切換え装置の側面図である。
【図１３】解放操作レバーがゴルフクラブで押されてかなり動いた状態を示す解放固定切換え装置の側面図である。
【図１４】解放操作レバーがゴルフクラブで押されてその下端がリンクの切欠き溝に係合して拘束された解放モードの状態を示す解放固定切換え装置の側面図である。
【図１５】練習台が正面から見て右下がり、前後方向水平の状態にあるゴルフ練習台装置の部分縦断面正面図である。
【図１６】人が乗って練習台を人から見て前方上がり、左右水平の傾斜にしようとしている状態におけるゴルフ練習台装置の使用状態を示す部分縦断面側面図である。
【図１７】人が乗って練習台を人から見て前方下がり、左右水平の傾斜にしようとしている状態におけるゴルフ練習台装置の使用状態を示す部分縦断面側面図である。
【図１８】人が乗って練習台を人から見て左上がり、前後水平の傾斜に設定した状態におけるゴルフ練習台装置の使用状態を示す部分縦断面正面図である。
【考案を実施するための形態】
【００１９】以下本考案を図面に示す実施例に基づいて説明する。本考案に係るゴルフ練習台装置１は、図１から図６において、地上又は床ＧＲ上に設置される基台２と、人３（図１３）がその上に乗ってゴルフの練習ができるようにした練習台４と、該練習台４と基台２との間に配設され練習台４を基台２に対して少なくとも２方向、好ましくは全方向に傾斜させることができるように支持すると共に傾斜した状態に保持できるようにした傾斜支持装置５とを備えたゴルフ練習台装置であって、傾斜支持装置５は、シリンダ６の端部６ａが基台２に取り付けられピストンロッド８の一端８ａが練習台４に取り付けられた一対の油圧シリンダ９（９Ａ，９Ｂ）と基台２に対する練習台４の傾斜の変化を円滑に行わせるように練習台４に固着された一対のガイド部材１０（１０Ａ，１０Ｂ）と基台２に固着され一対のガイド部材１０の動きを支持する一対（合計４個）のガイド支持部材１１（１１Ａ，１１Ｂ）とで構成され、解放固定切換え装置１２は、一対の油圧シリンダ９の油圧を解放又は固定するようにその油圧回路１３中に配設された４つの油圧回路用開閉リミットスイッチ１４（１４Ａ，１４Ｂ，１４Ｃ，１４Ｃ）と該油圧回路用開閉リミットスイッチ１４を操作して油圧回路１３を解放又は固定するための操作部１６とで構成され、練習台４に乗った人３がそのゴルフクラブ１８（図１３）で傾斜支持装置５の解放モード又は固定モードを切り換えることができるように練習台４上に解放固定切換え装置１２の操作部１６が突出して設けられたものである。
【００２０】基台２は、図１から図３に示すように、鋼製のアングル材１９を溶接して基本的に４角形に形成され、地上又は床ＧＲ上に安定して置かれ、しかも十分な強度を有する構造となっている。
【００２１】傾斜支持装置５は、基台２と同様に鋼製のアングル材１９を溶接して基本的に台形に形成された取付け台２０（２０Ａ，２０Ｂ）が直交して配設され、基台２に夫々固着されており、夫々の斜面２０ａに一対のガイド支持部材１１Ａ，１１Ｂが設けられ、該ガイド支持部材には、夫々２個ずつのガイドローラ２１が合計４組、ガイド部材１０の幅だけ間隔を開けて回動自在に取り付けられ、半円形の板状のガイド部材１０を隙間なく滑らかに直交させてガイドできるようになっており、ガイド部材１０は夫々ブラケット２１を介して練習台４の下面４ａに固着されている。
またガイド部材１０Ｂは下側に、ガイド部材１０Ａはガイド部材１０Ｂに対して上下方向の隙間が開くように、少し上側に配置され、異なる軌道で夫々直交状態で旋回できるように構成されている。
【００２２】油圧シリンダ９（９Ａ，９Ｂ）は、２本用いられ、図４及び図５に示すように、夫々シリンダ６の下端６ａが基台２に、自在接手７のうちの自在接手７Ａにより全方向に揺動自在に取り付けられており、ピストンロッド８の上端８ａは練習台４に、自在接手７Ｂにより全方向に揺動自在に取り付けられている。そして各シリンダ６の下側（正確にはピストン（図示せず）の下側）にオイルが注入されると、ピストンロッド８はシリンダ９から矢印Ｈ（図８）の如く突出し、逆に各シリンダ６の上側（正確にはピストンの上側）にオイルが注入されると、ピストンロッド８は矢印Ｉ（図８）の如く引き込まれるようになっており、これによって各ピストンロッド８に取り付けられた練習台４が油圧シリンダ９のピストンロッド８の動きに従って揺動中心Ｏ（図１）回りに任意に傾斜できるような構成となっている。
しかし本考案の場合には、油圧シリンダ９を作動させて練習台４を傾斜させるのではなく、油圧回路を解放した状態で、練習台４を人３が傾斜させることによって油圧シリンダ９がそのピストンロッド８を練習台４の傾斜に従って動かし、所望の傾斜状態で油圧回路を固定することで、油圧シリンダ９を油圧ロックして練習台４をその傾斜状態に保持するようにしたものであり、通常の作動（油圧シリンダ９で練習台４を動かすような作動）を行わせる構成とは異なる構成となっている。
【００２３】図１及び図６において、基台２のアングル材１９の交点、即ち練習台４の揺動中心Ｏ（図１）の位置には、練習台４を支える支柱２２の下端２２ａがボルト１７により固着されており、該支柱の上端２２ｂは球状軸受２３を介して練習台４の下面４ａに固着された補強板２４に、全方向に揺動自在に取り付けられている。
【００２４】次に、油圧シリンダ９用の油圧回路１３について説明すると、図７及び図８において、油圧シリンダ９Ａのシリンダ６の下端６ａ及び上端６ｂには、夫々配管２５，２６を介してオイル膨張吸収管２８（２８Ａ，２８Ｂ）が接続され、またオイルリザーブタンク２９との間には、夫々配管２５，２６を介して油圧回路用開閉リミットスイッチ１４（１４Ａ，１４Ｂ）が接続されている。
油圧シリンダ９Ｂのシリンダ６の下端６ａ及び上端６ｂには、夫々配管３０，３１を介してオイル膨張吸収管２８（２８Ｃ，２８Ｄ）が接続され、またオイルリザーブタンク２９との間には、夫々配管３０，３１を介して油圧回路用開閉リミットスイッチ１４（１４Ｃ，１４Ｄ）が接続されている。各油圧回路用リミットスイッチ１４には、操作部１６により操作されるアクチュエータ１４ａが装着されており、操作部１６によりアクチュエータ１４を押すことにより、図８に示すように、該油圧回路用開閉リミットスイッチ１４の内部がオイル２７の流れを許容する「開」の状態となり、逆にアクチュエータ１４ａを解放することにより油圧回路用開閉リミットスイッチ１４の内部がオイル２７の流れを許容しない「閉」の状態となり、油圧回路１３全体が油圧ロックされるように構成されている。
オイルリザーブタンク２９には、上部にエア抜き用のブリーザ２９ａが取り付けられている。なお、オイルリザーブタンク２９は、油圧シリンダ２８内の油量の変化分を吸収したり、不足分を補ったりするためのものである。
【００２５】次に、図９から図１３において、解放固定切換え装置１２について説明すると、解放固定切換え装置１２は、一対の油圧シリンダ９の油圧を解放又は固定するようにその油圧回路１３中に配設された４つの油圧回路用開閉リミットスイッチ１４（１４Ａ，１４Ｂ，１４Ｃ，１４Ｃ）と該油圧回路用開閉リミットスイッチ１４を操作して油圧回路１３を解放又は固定するための操作部１６とで構成され、練習台４に乗った人３（図１６）がそのゴルフクラブ１８（図１６）で傾斜支持装置５の解放又は固定モードを切り換えることができるように練習台４上に操作部１６が突出して設けられたものである。
【００２６】油圧回路用開閉リミットスイッチ１４は、練習台４の下面４ａに構成されたブラケット３２に水平方向に並べかつ密着して取り付けられており、そのアクチュエータ１４ａは練習台４の端方向に突出し、油圧回路用開閉リミットスイッチ１４の解放操作レバー３３の一部に固着された水平方向に長いブロック３５により一斉に押されることができるように構成されている。
【００２７】操作部１６は、油圧回路用開閉リミットスイッチ１４の解放操作レバー３３と、固定操作レバー３４とからなり、両方共上部が練習台４側が凹に湾曲して夫々凹部３３ｄ、３４ｄが形成され、ゴルフクラブ１８のヘッド１８ａの先端が入り込みかつ滑らないようになっており、練習台４の下面４ａに固着されたブラケット３６の回転軸３８により夫々回動自在に枢着されている。
練習台４の下面４ａに固着されたブラケット３９との間には、軸４０，４１を介して圧縮ばね４２，４３が夫々配設され、圧縮ばね４２により固定操作レバー３３が、圧縮ばね４３により解放操作レバー３４が夫々図１２において回転中心Ｐを中心にして時計方向に回転するように押圧付勢されている。なお軸４０，４１は夫々操作レバー３３，３４に固着されており、ブラケット３９に対しては摺動自在である。
【００２８】ブラケット３６は、練習台４の下面４ａに固着され、該ブラケットに回転軸３８が固着され、該回転軸は解放操作レバー３３と固定操作レバー３４と夫々一体的に長手方向の略中央部に形成されたボス部３３ａ、３４ａを貫通し、解放操作レバー３３及び固定操作レバー３４を回動自在に支持している。
【００２９】固定操作レバー３４の下部には直角の切欠き３４ｂが形成され、該切欠き部に収容されるようにリンク４４が固定操作レバー３４の下端３４ｃに固着されたブラケット４５を貫通した軸４６に回動自在に枢着されている。
【００３０】リンク４４は、軸４８を介してリンク４９に回動自在に連結されており、該リンク４９は、ブラケット３９の下面に固着されたブラケット５０に固着された軸５１に回動自在に枢着されている。
リンク４９には、その上面に切欠き溝４９ａが形成されており、該切欠き溝に解放操作レバー３３の下端３３ｃが係合して、このとき解放操作レバー３３が、図１４に示すように、油圧回路用開閉リミットスイッチ１４を解放位置に切り換えてそのまま保持されるように構成されている。
【００３１】即ち、図１２に示すように、ゴルフクラブ１８のヘッド１８ａで矢印Ａの如く解放操作レバー３３の凹部３３ｄを押すことにより該解放操作レバー３３は圧縮ばね４２に抗して軸３８の回転中心Ｐ回りに反時計方向に矢印Ｂの如く回転し、図１３に示すように、ブロック３５は矢印Ｃの如く動いて油圧回路用開閉リミットスイッチ１４のアクチュエータ１４ａを一斉に押すと共に、解放操作レバー３３の下端３３ｃが、リンク４９を矢印Ｃの如く下方に押圧してある程度押し下げたところで、固定操作レバー３４は矢印Ｄの如く反時計方向に少し回転して逃げると共に、解放操作レバー３３の下端３３ｃは切欠き溝４９ａに係合し、図１４に示すように、このときリンク４９は矢印Ｅの如く少し時計方向に回転し、固定操作レバー３４は矢印Ｆの如く少し時計方向に回転して切欠き溝４９ａが解放操作レバー３３の下端３３ｃを拘束し、解放操作レバー３３はそのままでは動けない状態となり、図１４に示すように、ゴルフクラブ１８を矢印Ｇの如く後退させても、油圧回路用開閉リミットスイッチ１４は解放状態に、即ち油圧回路１３は、図８に示す開状態に保持されるように構成されている。
【００３２】逆にゴルフクラブ１８のヘッド１８ａで固定操作レバー３４の凹部３４ｄを押すことにより、該固定操作レバーは軸３８の回転中心Ｐ回りに反時計方向に回転し、ブラケット４５がリンク４４を介してリンク４９を下方に引き下げてリンク４９の切欠き溝４９ａから解放操作レバー３３の下端３３ｃが外れ、該解放操作レバーは圧縮ばね４２の復元力により時計方向に回転して元の位置にもどり、ブロック３５による油圧回路用開閉リミットスイッチ１４のアクチュエータ１４ａの押圧が一斉に解除され、油圧回路用開閉リミットスイッチ１４は固定状態に、即ち油圧回路１３は、図７に示す閉状態に保持されるように構成されている。
【００３３】本考案は、上記のように構成されており、以下その作用について説明する。図１５においては、ゴルフ練習台装置１の練習台４は、操作部１６を図中右側に見る状態で該操作部１６側が低くなるように傾斜しており、もしこの状態で解放操作レバー３３がゴルフクラブ１８のヘッド１８ａにより押されていないと、油圧回路用開閉リミットスイッチ１４のアクチュエータ１４ａが押されていないので、該油圧回路用開閉リミットスイッチは、図７に示す固定モードに設定されており、油圧回路１３は油圧回路用開閉リミットスイッチ１４のところですべての配管２５，２６，３０，３１が「閉」の状態に維持され、各油圧シリンダ９Ａ，９Ｂは油圧ロックされ、そのピストンロッド８は動くことはできない状態にある。
このため練習台４は、図１５に示す傾斜状態に固定され、たとえ人３が練習台４のどの位置に乗っても、即ちいかなる体重移動があってもこの傾斜状態が維持される。
【００３４】次に、図１６に示すように、人３が練習台４に乗って、そのゴルフクラブ１８のヘッド１８ａで解放操作レバー３３の凹部３３ｄを押すことにより、該解放操作レバー３３が図１３及び図１４に示すように、圧縮ばね４２に抗してこれを圧縮しながら回転軸３８を中心に図１４中反時計方向に回転し、そのブロック３５が一斉に４個の油圧回路用開閉リミットスイッチ１４のアクチュエータ１４ａを押すことになるので、該油圧回路用開閉リミットスイッチ１４は「開」の状態となり、図８に示すように、すべての配管２５，２６，３０，３１が開かれ、オイル２７は配管の中を自由に流れる状態、即ち解放モードに切り換えられる。
そして、図１４に示すように、解放操作レバー３３の下端３３ｃがリンク４９の切欠き溝４９ａに係合するので、解放操作レバー３３はリンク４９により拘束され、固定操作レバー３４が押されない限り解放モードが維持されることになる。
【００３５】そこで、練習台４上の人３は、体重移動をすることにより練習台４を任意の方向に傾斜させることができ、例えば図１６に示す人３から見て前方が上りの傾斜で左右は水平の状態に練習台４の傾斜を変えることができる。
この体重移動の際には、練習台４は傾斜角度及び傾斜方向が変化するが、この変化は、油圧シリンダ９Ａ，９Ｂの伸縮（図８の矢印Ｈ，Ｉ）、自在接手７Ａ，７Ｂの作用及び球状軸受２３の作用により吸収され、円滑に許容されると共に、直交した一対の円弧状のガイド部材１０Ａ，１０Ｂが夫々一対のガイド支持部材１１Ａ，１１Ｂのガイドローラ２１により支持されているので、極めて円滑、かつ強力、確実にガイドされ、滑らかに行うことができる。
【００３６】そして希望の傾斜が得られたら、ゴルフクラブ１８のヘッド１８ａで固定操作レバー３４の凹部３４ｄを押すことにより、該固定操作レバー３４は圧縮ばね４３に抗してこれを圧縮しながら図１４中反時計方向に回転し、ブラケット４５がリンク４４を介してリンク４９を引き下げるので、その切欠き溝４９ａから解放操作レバー３３の下端３３ｃが外れ、この結果圧縮されていた圧縮ばね４２の復元力により該解放操作レバー３３は図１４中時計方向に回転して元の位置にもどる。
【００３７】これによって、各油圧回路用開閉リミットスイッチ１４のアクチュエータ１４ａの押圧が解除されるので、油圧回路用開閉リミットスイッチ１４は「閉」の状態となり、油圧回路１３は油圧ロックの状態となり、油圧シリンダ９Ａ，９Ｂのピストンロッド８は動くことはできないことになり、練習台４は図１６の傾斜で固定され、その後人３の体重移動があっても傾斜は変わらないから、人３は練習台４上を自由に動き回ることもでき、人３にとって前方上がり、左右水平の傾斜地と同じ条件でショットの練習を行うことができる。
【００３８】同様に、図１７に示すように、ゴルフクラブ１８のヘッド１８ａで解放操作レバー３３の凹部３３ｄを押して油圧回路１３を解放モードにして、体重移動により前方下がり、左右水平の傾斜にして、所望の傾斜が得られたら、ゴルフクラブ１８のヘッド１８ａで固定操作レバー３４の凹部３４ｄを押すことにより、油圧回路１３は固定モードに切り換えられ、もはや人３の体重移動によっては練習台４は動かない状態となるので、人３は前方下がり、左右水平の傾斜地と同様のショットの練習をすることができる。
【００３９】また同様にして、図１８に示すように、人３にとって左上がり、前後水平の傾斜に練習台４を傾斜させれば、このような傾斜地と同じ条件でのショットの練習をすることができる。
【００４０】以上のように、本考案によれば油圧シリンダ９の複雑な制御を必要とせず、単に油圧回路１３の解放モード又は固定モードを切り換えるだけで、練習台４の傾斜は人３の体重移動の力によって行うので、非常に経済的であり、ゴルフ練習台装置１は安価に製作、提供することができ、練習台４上でのゴルフクラブ１８による操作部１６の操作も簡単であり、極めて有益な考案である。
【符号の説明】
【００４１】  １    ゴルフ練習台装置
２    基台
３    人
４    練習台
４ａ  下面
５    傾斜支持装置
６    シリンダ
６ａ  下端
６ｂ  上端
７    自在接手
７Ａ  自在接手
７Ｂ  自在接手
８    ピストンロッド
８ａ  上端
９    油圧シリンダ
９Ａ  油圧シリンダ
９Ｂ  油圧シリンダ
１０    ガイド部材
１０Ａ  ガイド部材
１０Ｂ  ガイド部材
１１    ガイド支持部材
１１Ａ  ガイド支持部材
１１Ｂ  ガイド支持部材
１２    解放固定切換え装置
１３    油圧回路
１４    油圧回路用開閉リミットスイッチ
１４Ａ  油圧回路用開閉リミットスイッチ
１４Ｂ  油圧回路用開閉リミットスイッチ
１４Ｃ  油圧回路用開閉リミットスイッチ
１４Ｄ  油圧回路用開閉リミットスイッチ
１４ａ  アクチュエータ
１５    ブラケット
１６    操作部
１７    ボルト
１８    ゴルフクラブ
１８ａ  ヘッド
１９    アングル材
２０    取付け台
２０ａ  斜面
２１    ブラケット
２２    支柱
２２ａ  下端
２２ｂ  上端
２３    球状軸受
２４    補強板
２５    配管
２６    配管
２７    オイル
２８    オイル膨張吸収管
２８Ａ  オイル膨張吸収管
２８Ｂ  オイル膨張吸収管
２９    リザーブタンク
２９ａ  ブリーザ
３０    配管
３１    配管
３２    ブラケット
３３    解放操作レバー
３３ａ  ボス部
３３ｃ  下端
３３ｄ  凹部
３４    固定操作レバー
３４ａ  ボス部
３４ｂ  切欠き
３４ｃ  下端
３４ｄ  凹部
３５    ブロック
３６    ブラケット
３８    回転軸
３９    ブラケット
４０    軸
４１    軸
４２    圧縮ばね
４３    圧縮ばね
４４    リンク
４５    ブラケット
４６    軸
４８    軸
４９    リンク
４９ａ  切欠き溝
５０    ブラケット
５１    軸
Ａ    矢印
Ｂ    矢印
Ｃ    矢印
Ｄ    矢印
Ｅ    矢印
Ｆ    矢印
Ｇ    矢印
ＧＲ  地上又は床
Ｈ    矢印
Ｉ    矢印
Ｏ    揺動中心
Ｐ    回転中心
【図１】
0003162019.tif 000003
【図２】
0003162019.tif 000004
【図３】
0003162019.tif 000005
【図４】
0003162019.tif 000006
【図５】
0003162019.tif 000007
【図６】
0003162019.tif 000008
【図７】
0003162019.tif 000009
【図８】
0003162019.tif 000010
【図９】
0003162019.tif 000011
【図１０】
0003162019.tif 000012
【図１１】
0003162019.tif 000013
【図１２】
0003162019.tif 000014
【図１３】
0003162019.tif 000015
【図１４】
0003162019.tif 000016
【図１５】
0003162019.tif 000017
【図１６】
0003162019.tif 000018
【図１７】
0003162019.tif 000019
【図１８】
0003162019.tif 000020